(57)【要約】【課題】  プレゼンテーションの会場の広さや収納スペースの大きさに応じて、プロジェクターの高さを調整することが可能な映写機対応型スクリーンを提供する。【解決手段】  スクリーン３を略垂直に支持した起立スタンド５の背面側に映写機１を保持する映写機保持ユニット２を設けた映写機対応型スクリーンにおいて、映写機保持ユニット２は、起立スタンド５に固着する組付部材１１と、組付部材１１に対して昇降可能に設けられ上方部に映写機取付部を設けた可動部材１０と、組付部材と可動部材の間に設けられ該可動部材を昇降可能に支持するスライドレール１３と、組付部材と可動部材の間に張設され該可動部材を上向きに付勢するガススプリング１２とによって形成されていることを特徴とする。【選択図】図４
2015108650.tif 000002
【特許請求の範囲】
【請求項１】
スクリーンを略垂直に支持した起立スタンドの背面側に映写機を保持する映写機保持ユニットを設けた映写機対応型スクリーンにおいて、
前記映写機保持ユニットは、前記起立スタンドに固着する組付部材と、前記組付部材に対して昇降可能に設けられ上方部に映写機取付部を設けた可動部材と、前記組付部材と前記可動部材の間に設けられ該可動部材を昇降可能に支持するスライドレールと、前記組付部材と前記可動部材の間に張設され該可動部材を上向きに付勢するガススプリングとによって形成されていることを特徴とする映写機対応型スクリーン。
【請求項２】
起立スタンドの背面側に映写機を保持する映写機保持ユニットを設けると共に前面側にスクリーンを保持するスクリーン保持ユニットを設けた映写機対応型スクリーンにおいて、
前記映写機保持ユニットは、前記起立スタンドに固着する第１組付部材と、前記第１組付部材に対して昇降可能に設けられ上方部に映写機取付部を設けた第１可動部材と、前記第１組付部材と前記第１可動部材の間に設けられ該可動部材を昇降可能に支持する第１スライドレールと、前記第１組付部材と前記第１可動部材の間に張設され該可動部材を上向きに付勢する第１ガススプリングとによって形成されており、
前記スクリーン保持ユニットは、前記起立スタンドに固着する第２組付部材と、前記第２組付部材に対して昇降可能に設けられ上方部に映写機取付部を設けた第２可動部材と、前記第２組付部材と前記第２可動部材の間に設けられ該可動部材を昇降可能に支持する第２スライドレールと、前記第２組付部材と前記第２可動部材の間に張設され該可動部材を上向きに付勢する第２ガススプリングとによって形成されていることを特徴とする映写機対応型スクリーン。
【発明の詳細な説明】
【技術分野】
【０００１】
本発明は、映写機を取り付けることが可能な映写機対応型スクリーンに関するものである。
【背景技術】
【０００２】
従来から上下方向にスライドする方式の黒板等が知られており、このような黒板は、例えば、黒板の裏面にガイドバーを２本設置し、該ガイドバーが壁に取り付けられているケース内を上下に摺動するように構成されている。そして、該ケース内には、一対の滑車と、滑車に掛け回される２条ワイヤーと、ワイヤーを付勢するスプリングとが配備され、各ワイヤーの端部が滑車とガイドバーとに固定される構造を有している（特許文献１）。
【０００３】
ところで、近時、講義や授業、会議等に際し、黒板やホワイトボード等の筆記用ボードに映写用スクリーンを併設し、あるいは、ホワイトボードを映写用スクリーンと兼用にし、ボードにプロジェクターを搭載した、いわゆるボード型電子黒板が広く使用されるようになってきている。
【先行技術文献】
【特許文献】
【０００４】
【特許文献１】実開昭４７−３６５３５号公報
【発明の概要】
【発明が解決しようとする課題】
【０００５】
しかしながら、上記従来のボード型電子黒板は、黒板を保持したフレームにプロジェクターを単純に固定しただけのものであり、プロジェクターの高さ位置が常に一定であるため、広い会場等の場合には、プロジェクターの画像、映像が見えにくくなることもある。また、片付ける際の運搬、収納時に、プロジェクターの固定部分が邪魔になることもある。
【０００６】
本発明の目的は、上記従来のボード型電子黒板が有する問題点を解消し、プレゼンテーションを行う会場の広さ、あるいは収納スペースの大きさなどに応じて、プロジェクターの高さを調整することが可能な映写機対応型スクリーンを提供することにある。
【課題を解決するための手段】
【０００７】
かかる目的を達成するため請求項１に係る発明は、スクリーンを略垂直に支持した起立スタンドの背面側に映写機を保持する映写機保持ユニットを設けた映写機対応型スクリーンにおいて、前記映写機保持ユニットは、前記起立スタンドに固着する組付部材と、前記組付部材に対して昇降可能に設けられ上方部に映写機取付部を設けた可動部材と、前記組付部材と前記可動部材の間に設けられ該可動部材を昇降可能に支持するスライドレールと、前記組付部材と前記可動部材の間に張設され該可動部材を上向きに付勢するガススプリングとによって形成されていることを特徴としている。
【０００８】
また、請求項２に係る発明は、起立スタンドの背面側に映写機を保持する映写機保持ユニットを設けると共に前面側にスクリーンを保持するスクリーン保持ユニットを設けた映写機対応型スクリーンにおいて、前記映写機保持ユニットは、前記起立スタンドに固着する第１組付部材と、前記第１組付部材に対して昇降可能に設けられ上方部に映写機取付部を設けた第１可動部材と、前記第１組付部材と前記第１可動部材の間に設けられ該可動部材を昇降可能に支持する第１スライドレールと、前記第１組付部材と前記第１可動部材の間に張設され該可動部材を上向きに付勢する第１ガススプリングとによって形成されており、前記スクリーン保持ユニットは、前記起立スタンドに固着する第２組付部材と、前記第２組付部材に対して昇降可能に設けられ上方部に映写機取付部を設けた第２可動部材と、前記第２組付部材と前記第２可動部材の間に設けられ該可動部材を昇降可能に支持する第２スライドレールと、前記第２組付部材と前記第２可動部材の間に張設され該可動部材を上向きに付勢する第２ガススプリングとによって形成されていることを特徴としている。
【発明の効果】
【０００９】
請求項１に係る映写機対応型スクリーンは、映写機を自由に上下移動させることができる映写機保持ユニットを設けたことから、映写機対応型スクリーンを収納したり運搬したい場合には、起立スタンドに対して映写機保持ユニットを下降させ全体の高さを低くしてやれば、収納や運搬に支障をきたすことがない。また、請求項１に係る映写機対応型スクリーンは、映写機保持ユニットの可動部材をガススプリングによって上方に付勢しているので、比較的重量がある映写機保持ユニットの可動部材を上動させるにあたり力を必要としない。さらに、請求項１に係る映写機対応型スクリーンは、映写機保持ユニットの可動部材をスライドレールによって固定部材に支持するようにしていることから、可動部材をきわめて安定的に昇降させることができる。
【００１０】
また、請求項２に係る映写機対応型スクリーンによれば、映写機保持ユニットに加えてスクリーン保持ユニットも設けたことから、プレゼンテーションをする場所の広さに応じて映写機対応型スクリーンの利便性を著しく向上することができる。すなわち、例えば、広いホール等で多くの人に画像、映像を見せたい場合には、起立スタンドに対してスクリーン保持ユニットのスクリーンを上昇させてやれば、スクリーンに映し出される画像、映像を見易くすることができる。さらに、映写機保持ユニットによる映写機の上下動とスクリーン保持ユニットによるボードの上下動をそれぞれ別々に行うことができるため、その状況に応じて両者を使い分けられるという利便性をも有している。
【図面の簡単な説明】
【００１１】
【図１】映写機対応型スクリーンの正面図。
【図２】映写機対応型スクリーンの背面図。
【図３】映写機対応型スクリーンから映写機とボードを外した正面図。
【図４】映写機対応型スクリーンの分解斜視図。
【図５】映写機保持ユニットの斜視図。
【図６】（ａ）映写機保持ユニット中の可動フレームの正面図、（ｂ）映写機保持ユニットが縮んだ状態の正面図、（ｃ）映写機保持ユニットが伸びた状態の正面図。
【図７】スクリーン保持ユニットの斜視図。
【図８】（ａ）スクリーン保持ユニット中の可動フレームの正面図、（ｂ）スクリーン保持ユニットが縮んだ状態の正面図、（ｃ）スクリーン保持ユニットが伸びた状態の正面図。
【発明を実施するための形態】
【００１２】
以下、本発明に係る映写機対応型スクリーンの実施形態について、図面に基づいて説明する。
【００１３】
（映写機対応型スクリーンの全体構造）
図１は映写機対応型スクリーンの正面図、図４は映写機対応型スクリーンの斜視図である。この実施の形態における映写機対応型スクリーンは、主として、映写機１と、映写機１を保持する映写機保持ユニット２と、スクリーンとしてのボード３と、ボード３を保持するスクリーン保持ユニット４と、映写機保持ユニット２及びスクリーン保持ユニット４とを支える起立スタンド５とによって概略構成されている。
【００１４】
前記映写機１は、画像、映像を出力（発信）するためのプロジェクター等である。前記映写機保持ユニット２は、映写機１を保持し、その上下位置を変更するためのものであり、杆状の構成部材を平面状に組み付けたものである。前記ボード３は、マーカーやペンによる筆記、消去を繰り返して行うことができるホワイトボード等であり、映写機１の画像や映像を写し出すためのスクリーンとしても機能するものである。前記スクリーン保持ユニット４は、ボード３を保持して、ボード３の位置を上下に移動させるものであり、杆状の構成部材を平面状に組み付けたものである。前記起立スタンド５は、映写機保持ユニット２とスクリーン保持ユニット４とを別々に移動可能に保持するとともに、地面に接触した状態で他の部材を支えるものであって、その映写機保持ユニット２及びスクリーン保持ユニット４の保持部分は、杆状の構成部材を平面状に組み付けた形状を有している。
【００１５】
（映写機保持ユニットの構造）
図５及び図６（ａ）（ｂ）（ｃ）は、映写機保持ユニット２を示したものであり、映写機保持ユニット２は、第１可動フレーム（可動部材）１０と、第１固定フレーム（組付部材）１１と、ガススプリング１２，１２と、スライドレール１３，１３とによって概略構成されている。
【００１６】
前記第１可動フレーム１０は、図６（ａ）に示すように杆状の構成部材を縦長な四角形状に組み付けた枠体である。すなわち、第１可動フレーム１０は、左右一対の縦杆１４，１４の上部、中間部、下部のそれぞれに左右方向を向く横杆１５ａ，１５ｂ，１５ｃを横架させて組み付けた枠体として形成されている。また、これら横杆１５ａ，１５ｂ，１５ｃのうち、上部の横杆１５ａは、他の横杆１５ｂ，１５ｃよりも寸法が長くなっていて、横杆１５ａの左右両端部は、縦杆１４，１４の両側からはみ出るように延長されている。そして、横杆１５ａの両端部下面には、ガススプリング１２，１２を接続するための止着片１６，１６がそれぞれ設けられている。また、縦杆１４，１４の上端前面には、断面コ字形の映写機接続部材（映写機取付部）１７，１７がそれぞれ設けられていて、この映写機接続部材１７，１７には、図示しないボルト等によって映写機１が固定される。さらに、下部の横杆１５ｃの中央後面に映写機１を上下動させる際に手を掛けるハンドル１８が設けられている。また、下部の横杆１５ｃの中央上面には、起立スタンド５に対し映写機の昇降位置を調整するための第１位置決め部材１９が設けられている。この第１位置決め部材１９は、取付板２０に固着部材２１を介して前後方向へ進退動可能な固定ピン２２を装着して形成されており、該固定ピン２２は、常態において固着部材２１内の弾性部材（図示しない）によって前方に進出するように付勢されている。
【００１７】
前記第１固定フレーム１１は、左右一対の鉛直杆２５，２５の下部に左右方向を向く水平杆２６が組み付けられて上向きコ字形に形成されている。そして、鉛直杆２５，２５の下端外側面には、ガススプリング１２，１２を接続するための止着片２７，２７がそれぞれ設けられている。また、鉛直杆２５，２５の前面上下位置には、それぞれ２つずつ映写機保持ユニット２を起立スタンド５に接続するための取付片２８，２８が設けられている。なお、この第１固定フレーム１１は、図６（ｂ）に示すように前記第１可動フレーム１０が下降している状態において、ちょうど該第１固定フレーム１１の外方を包囲するように配置されている。すなわち、第１可動フレーム１０が下降している状態において、第１可動フレーム１０の縦杆１７，１７と第１固定フレーム１１の鉛直杆２５，２５が左右方向においてわずかな隙間を空けて相対している。
【００１８】
前記ガススプリング１２，１２は、第１可動フレーム１０と第１固定フレーム１１の両側部に設けられていて、第１可動フレーム１０を第１固定フレーム１１に対して、上方へ付勢するためのものである。すなわち、ガススプリング１２，１２は、円筒状のシリンダチューブ３０と、該シリンダチューブ３０に取り付けられ軸線方向に進退動する断面円形のシリンダロッド３１とによって構成されていて、シリンダチューブ３０内に充填された圧縮ガスによりシリンダロッド３１が常に伸び方向に反発力（ガス反力）をもつようになっている。また、ガススプリングの１２，１２の上端、すなわち、シリンダチューブ３０，３０の端部に取付金具３２，３２が形成されていて、該取付金具３２，３２が第１可動フレーム１０の横杆１５ａ両端部の止着片１６，１６に螺子止め固定されている。他方、ガススプリング１２，１２の下端、すなわち、シリンダロッド３１の端部に取付金具３３，３３が形成されていて、該取付金具３３，３３が第１固定フレーム１１の鉛直杆２５，２５の止着片２７，２７に螺子止め固定されている。このように、ガススプリング１２，１２を採用したことによって、映写機保持ユニット２を小さな力で持ち上げることができる。
【００１９】
前記スライドレール１３，１３は、第１可動フレーム１０と第１固定フレーム１１の間に設けられており、映写機保持ユニット２を安定して上下動させるようにガイドするためのものである。このスライドレール１３，１３は、この実施の形態では、アウターレール３５、中間レール（図示しない）、及びインナーレール３６からなる３段引スライドレールを使用している。そして、アウターレール３５が第１可動フレーム１０の縦杆１４，１４の外側面に装着されており、インナーレール３６が第１固定フレーム１１の鉛直杆２５，２５の内側面に装着されている。なお、この実施の形態では、アウターレール３５を第１可動フレーム１０の縦杆１４，１４の外側面に装着し、インナーレール３６を第１固定フレーム１１の鉛直杆２５，２５の内側面に設けた例を示したが、インナーレールを縦杆１４，１４の外側面に設け、アウターレールを鉛直杆２５，２５の内側面に設けるようにすることも可能である。
【００２０】
前記映写機１は、第１可動フレーム１０の映写機接続部材１７，１７に映写機支持部材を介して装着されている。この映写機支持部材は、平板状の取付基板３７の前面に前方へ突出する吊下杆３８を設けて構成されており、該吊下杆３８に映写機１が設置される。このように構成したことで映写機１は映写機保持ユニット２から前方に突出してボード３よりも前に位置することになり、ボード３に対し画像、映像を映し出すことが可能になる。
【００２１】
（スクリーン保持ユニットの構造）
図７及び図８（ａ）（ｂ）（ｃ）は、スクリーン保持ユニット４を示したものであり、スクリーン保持ユニット４は、第２可動フレーム（可動部材）４０と、第２固定フレーム（固定部材）４１と、ガススプリング４２，４２と、スライドレール４３，４３とによって概略構成されている。
【００２２】
前記第２可動フレーム４０は、図８（ａ）に示すように杆状の構成部材を井桁状に組み付けた枠体である。すなわち、第２可動フレーム４０は、３つの縦杆４４ａ，４４ｂ，４４ｃの上部、中間部、下部のそれぞれに左右方向を向く横杆４５ａ，４５ｂ，４５ｃを横架させて組み付けた枠体として形成されている。また、これら横杆４５ａ，４５ｂ，４５ｃのうち、上部の横杆４５ａは、他の横杆４５ｂ，４５ｃよりも寸法が長くなっていて、横杆４５ａの左右両端部は、縦杆４４ａ，４４ｃの両側からはみ出るように延長されている。そして、横杆４５ａの両端部下面には、ガススプリング４２，４２を接続するための止着片４６，４６がそれぞれ設けられている。また、上部の横杆４５ａの両端部及び中央部前面、左右の縦杆４４ａ，４４ｃの上下端部、下部の横杆４５ｃの前面には、断面Ｌ字形のボード接続部材４７，４７・・・がそれぞれ設けられていて、このボード接続部材４７，４７には、図示しないボルト等によってボード３が固定される。さらに、上下の横杆４５ａ，４５ｃの中央下面には、起立スタンド５に対しボード３の昇降位置を調整するための第２位置決め部材４９，４９がそれぞれ設けられている。この第２位置決め部材４９は、取付板５０に固着部材５１を介して前後方向へ進退動可能な固定ピン５２を装着して形成されており、該固定ピン５２は、常態において固着部材５１内の弾性部材（図示しない）によって前方に進出するように付勢されている。
【００２３】
前記第２固定フレーム４１は、左右一対の縦杆５５，５５の下部に左右方向を向く横杆５６が組み付けられて上向きコ字形に形成されている。そして、縦杆５５，５５の下端よりの外側面には、ガススプリング４２，４２を接続するための止着片５７，５７がそれぞれ設けられている。また、縦杆５５，５５の後面上下位置には、それぞれ２つずつスクリーン保持ユニット４を起立スタンド５に接続するための取付片５８，５８が設けられている。なお、この第２固定フレーム４１は、図８（ｂ）に示すように前記第２可動フレーム４０が下降している状態において、ちょうど該第２固定フレーム４１の外方を包囲するように配置されている。すなわち、第２可動フレーム４０が下降している状態において、第２可動フレーム４０の縦杆４４ａ，４４ｃと第２固定フレーム４１の鉛直杆５５，５５が左右方向においてわずかな隙間を空けて相対している。
【００２４】
前記ガススプリング４２，４２は、第２可動フレーム４０と第２固定フレーム４１の両側部に設けられていて、第２可動フレーム４０を第２固定フレーム４１に対して、上方へ付勢するためのものである。すなわち、ガススプリング４２，４２は、円筒状のシリンダチューブ６０と、該シリンダチューブ６０に取り付けられ軸線方向に進退動する断面円形のシリンダロッド６１とによって構成されていて、シリンダチューブ６０内に充填された圧縮ガスによりシリンダロッド６１が常に伸び方向に反発力（ガス反力）をもつようになっている。また、ガススプリングの４２，４２の上端、すなわち、シリンダチューブ６０，６０の端部に取付金具６２，６２が形成されていて、該取付金具６２，６２が第２可動フレーム４０の横杆４５ａ両端部の止着片４６，４６に螺子止め固定されている。他方、ガススプリング６２，６２の下端、すなわち、シリンダロッド６１の端部に取付金具６３，６３が形成されていて、該取付金具６３，６３が第２固定フレーム４１の縦杆５５，５５の止着片５７，５７に螺子止め固定されている。このように、ガススプリング４２，４２として、ガススプリングを採用したことによって、スクリーン保持ユニット４を小さな力で持ち上げることができる。
【００２５】
前記スライドレール４３，４３は、第２可動フレーム４０と第２固定フレーム４１の間に設けられており、スクリーン保持ユニット４を安定して上下動させるようにガイドするためのものである。このスライドレール４３，４３は、ここでは、アウターレール６５、中間レール（図示しない）、及びインナーレール６６からなる３段引スライドレールを使用している。そして、アウターレール６５が第２可動フレーム４０の左右の縦杆４４ａ，４４ｃの外側面に装着されており、インナーレール６６が第２固定フレーム４１の縦杆５５，５５の内側面に装着されている。なお、この実施の形態では、アウターレール６５を第２可動フレーム４０の縦杆４４ａ，４４ｃの外側面に装着し、インナーレール６６を第２固定フレーム４１の縦杆５５，５５の内側面に設けた例を示したが、インナーレールを縦杆４４ａ，４４ｃの外側面に設け、アウターレールを縦杆５５，５５の内側面に設けるようにすることも可能である。
【００２６】
（起立スタンドの構造）
起立スタンド５は、図４に示すように、一対の支柱７０，７０と、該支柱７０，７０を直立させる脚部としての脚杆７１，７１と、該支柱７０，７０間に配置される３つの連結杆７２ａ，７２ｂ，７２ｃと、該連結杆７２ａ，７２ｂ，７２ｃの中央に鉛直に配置される位置決め杆７３ａ，７３ｂ，７３ｃとから概略構成されている。
【００２７】
前記支柱７０，７０は、断面が楕円形状をなす筒状の部材で、その下端に下向きコ字形の嵌合部７４，７４が形成されている。そして、支柱７０，７０は、その嵌合部７４，７４が脚杆７１，７１の中央に上部から嵌められて螺着されることで直立するようになっている。前記脚杆７１，７１は、その後側が各ユニット２，４に対して垂直になる直線状になっているのに対し、その前側は外向きに開くように屈曲して形成されている。なお、脚杆７１，７１の前後端部の下面には、映写機対応型スクリーンを移動させるためのキャスター７５，７５がそれぞれ装着されている。前記連結杆７２ａ，７２ｂ，７２ｃは、支柱７０，７０間の上部、中間部、下部のそれぞれに横架されている。すなわち、連結杆７２ａ，７２ｂ，７２ｃは、その左右両端部に支柱の楕円形状に沿うような断面Ｃ字状の当て金７６，７６が形成されており、該当て金７６，７６を支柱７０，７０の内側面に嵌めて支柱７０，７０に連結されている。前記位置決め杆７３ａは、その下端にフランジ部７７が形成されており、該フランジ部７７が連結杆７２ａの上面に螺着されている。また、前記位置決め杆７３ｂ，７３ｃは、その上下端部のそれぞれにフランジ部７７が形成されている。そして、位置決め杆７３ｂは、そのフランジ部７７が連結杆７２ａの下面及び連結杆７２ｂの上面に螺着され、位置決め杆７３ｃは、そのフランジ部７７が連結杆７２ｂの下面及び連結杆７２ｃの上面に螺着されている。さらに、位置決め杆７３ａ，７３ｂ，７３ｃは、その前面及び後面の双方に、上下方向に等間隔で複数の係合孔７８，７８・・・・が穿設されている。
【００２８】
（映写機対応型スクリーンの作用）
上記の如く構成された映写機対応型スクリーンにおいては、映写機１から出力される画像、映像をスクリーンとしてのボード３に映し出すことができる。この時、使用状況に応じて、映写機１、又はボード３のそれぞれを任意の位置に上下動させることができる。すなわち、映写機１を上下動させたい時は、まず、映写機対応型スクリーンの後方から映写機保持ユニット２の第１位置決め部材１９の固定ピン２２を後方へ引き、固定ピン２２を起立スタンド５の位置決め杆７３の係合孔７８から外す。これにより映写機保持ユニット２の第１可動フレーム１０は、起立スタンド５との係合から解かれて上下に移動可能になるので、第１可動フレーム１０の後方にあるハンドル４８を持って、第１可動フレーム１０を任意の位置に移動させる。そして、第１可動フレーム１０がちょうどよい位置に来たところで、第１位置決め部材１９の固定ピン２２を起立スタンド５の位置決め杆７３の係合孔７８に嵌めてやれば、その位置に第１可動フレーム１０を固定させることができる。すなわち、第１可動フレーム１０に装着されている映写機１を自由な高さ位置に調整することができる。
【００２９】
他方、ボード３を上下動させたい時は、まず、映写機対応型スクリーンの前方からスクリーン保持ユニット４の第２位置決め部材４９，４９の固定ピン５２，５２を前方へ引き、固定ピン５２，５２を起立スタンド５の位置決め杆７３の係合孔７８から外す。これによりスクリーン保持ユニット２の第２可動フレーム４０は、起立スタンド５との係合から解かれて上下に移動可能になるので、ボード３の前方にあるハンドル６を持って、第２可動フレーム４０を任意の位置に移動させる。そして、第２可動フレーム４０がちょうどよい位置に来たところで、第２位置決め部材４９，４９の固定ピン５２，５２を起立スタンド５の位置決め杆７３の係合孔７８に嵌めてやれば、その位置に第２可動フレーム４０を固定させることができる。すなわち、第２可動フレーム４０に装着されているボード３を自由な高さ位置に調整することができる。
【００３０】
このように上記実施形態に係る映写機対応型スクリーンは、映写機及びボードをそれぞれ別個に且つ自由に上下移動させることができる映写機保持ユニット及びスクリーン保持ユニットを設けたことから、プレゼンテーションをする場所の広さや収納スペースの広さなどに応じて映写機対応型スクリーンの利便性を著しく向上することができる。すなわち、例えば、広いホール等で多くの人に画像、映像を見せたい場合には、起立スタンドに対してスクリーン保持ユニットのボードを上昇させると共に、上昇させたボードに合わせて映写機保持ユニットの映写機も上昇させてやれば、ボードに映し出された画像、映像を見易くすることができる。他方、映写機対応型スクリーンを収納したり運搬したい場合等には、起立スタンドに対して映写機保持ユニットを下降させ全体の高さを低くしてやれば、収納や運搬に支障をきたすことがない。
【００３１】
また、上記実施形態に係る映写機対応型スクリーンは、映写機保持ユニット及びスクリーン保持ユニットにガススプリングを設けたことから、比較的重量のある映写機及びボードを上動させる際に力を要せず且つ安定的に行うことができる。
【００３２】
さらに、上記実施形態に係る映写機対応型スクリーンにおいては、映写機保持ユニットによる映写機の上下動とスクリーン保持ユニットよるボードの上下動をそれぞれ別々に行うことができるため、その必要に応じて両者を使い分けることができるという利便性をも有している。
【００３３】
なお、上記実施の形態においては、スクリーンの具体例としてボードを示したが、本発明に係るスクリーンは、必ずしもボードに限定されるものではない。
【００３４】
また、上記実施の形態では、映写機保持ユニットとスクリーン保持ユニットの双方を設けた例を示したが、映写機保持ユニットのみを設けることも可能である。例えば、一対の支柱間に連結部材を横架して形成した起立スタンドにスクリーン、もしくはボードを配設し、この起立スタンドの背面側に映写機保持ユニットのみを設けて構成することも可能である。
【００３５】
さらに、この実施の形態では、第１・第２固定フレーム（固定部材）及び第１・第２可動フレーム（可動部材）を上向きコ字形に形成した例を示したが、これらは、必ずしも上向きコ字形に形成されている必要はない。すなわち、起立スタンドに少なくとも１対の鉛直杆を設けて固定部材が形成されていれば、本発明の目的を達成することができる。
【符号の説明】
【００３６】
１            映写機
２            映写機保持ユニット
３            スクリーン（ボード）
４            スクリーン保持ユニット
５            起立スタンド
１０，４０    可動部材（可動フレーム）
１１，４１    固定部材（固定フレーム）
１２，４２    ガススプリング
１３，４３    スライドレール
【図１】
2015108650.tif 000003
【図２】
2015108650.tif 000004
【図３】
2015108650.tif 000005
【図４】
2015108650.tif 000006
【図５】
2015108650.tif 000007
【図６】
2015108650.tif 000008
【図７】
2015108650.tif 000009
【図８】
2015108650.tif 000010